【手続補正書】
【提出日】平成18年3月30日(2006.3.30)
【手続補正１】
【補正対象書類名】明細書
【補正対象項目名】請求項１
【補正方法】変更
【補正の内容】
【請求項１】  表面にプリピットおよびプリグルーブが形成されている透光性基板上に色素を主成分とする光吸収層が設けられ、さらに該吸収層上に金属膜からなる光反射層が設けられた、ＲＯＭ領域とＲＡＭ領域とを有する光記録媒体において、
前記プリピットの基板深さ、及び該プリピット部と隣接非ピット部の前記光吸収層の各厚さから生じる光学的位相差ΔＳｐ（片路）がλ／８＜ΔＳｐ＜λ／４であり、かつ最短ピットの長さが０．６〜１．０μｍであることを特徴とする前記光記録媒体。
【手続補正２】
【補正対象書類名】明細書
【補正対象項目名】請求項３
【補正方法】変更
【補正の内容】
【請求項３】  表面にプリピットおよびプリグルーブが形成されている透光性基板上に、誘電体層、相変化記録層、誘電体層、さらに金属膜からなる光反射層が順次設けられた、ＲＯＭ領域とＲＡＭ領域とを有する光記録媒体において、
前記プリピットの基板深さ、及び該プリピット部と隣接非ピット部との光学的位相差ΔＳｐ（片路）がλ／８＜ΔＳｐ＜λ／４であり、かつ最短ピットの長さが０．６〜１．０μｍであることを特徴とする前記光記録媒体。
【手続補正３】
【補正対象書類名】明細書
【補正対象項目名】０００１
【補正方法】変更
【補正の内容】
【０００１】
【発明の属する技術分野】
本発明は、レーザ光により記録、反射光によって記録データを再生する光情報記録媒体に関し、予めマスタリングでデータが記録されたＲＯＭ領域と、追記可能な記録可能領域とを有する光記録媒体、例えばＣＤ−Ｒ、ＣＤ−ＲＷのハイブリッドディスクに関する。
【手続補正４】
【補正対象書類名】明細書
【補正対象項目名】０００３
【補正方法】変更
【補正の内容】
【０００３】
一つの面上にマスタリングによるピットからなるＲＯＭ部と、グルーブ部の記録可能領域とを有するハイブリッド光記録媒体は、特許第２０８３３５５号公報に記載されているように、当初ＲＯＭ部は通常ＣＤと同構成で、基板ピット上に直接反射膜を有していた。しかし、ＲＯＭ部とグルーブ部境界部の色素の塗り分けが困難なことにより、特許第２５０８０８２０号公報、特許第２９６６０７７号公報に記載されているように、ピット部、グルーブ部両方に色素塗布し、かつピット部、グルーブの信号特性が良好となるピット形状、グルーブ形状、及び色素塗布状態を限定するようになった。しかし、いずれの構成にしても一つの媒体面上にＣＤの信号特性とオレンジブックで規定される追記部信号特性、未記録信号特性が共存していることには変わりはない。
【手続補正５】
【補正対象書類名】明細書
【補正対象項目名】０００６
【補正方法】変更
【補正の内容】
【０００６】
【発明が解決しようとする課題】
従って、本発明の目的は、上記従来技術に鑑みて、ＲＯＭ部の変調度を確保すると共にプッシュ−プル信号が大きく、ＲＡＭ部のＴＯＣ部に対するサーボ信号変動が少ない光記録媒体、例えばＣＤ−Ｒ、ＣＤ−ＲＷを提供することにある。
すなわち、本発明の目的は、光記録媒体において、
プリピットの基板深さ、及び該プリピット部と隣接非ピット部の前記光吸収層の各厚さから生じる光学的位相差ΔＳｐ（往復）がλ／８＜ΔＳｐ＜λ／４であり、かつ最短ピットの長さを０．６〜１．０μｍとすることにより、ＲＯＭ部の変調度を確保すると共にプシュプル信号を大きくし、ＲＡＭ部のＴＯＣ部（ＲＯＭ部）に対するサーボ信号変動を小さくすることを目的とする。
また、本発明の他の目的は、請求項１の光記録媒体において、プリピットの幅を０．４〜０．７μｍとすることにより、ＲＯＭ部変調度を確保すると共にプシュプル信号を大きくし、ＲＡＭ部のＴＯＣ部（ＲＯＭ部）に対するサーボ信号変動を小さくすることにある。
さらに、本発明の目的は、光記録媒体において、プリピットの基板深さ、及び該プリピット部と隣接非ピット部の前記光吸収層の各厚さから生じる光学的位相差ΔＳｐ（往復）がλ／８＜ΔＳｐ＜λ／４であり、かつ最短ピットの長さを０．６〜１．０μｍとすることにより、ＲＯＭ部の変調度を確保すると共にプシュプル信号を大きくし、ＲＡＭ部のＴＯＣ部（ＲＯＭ部）に対するサーボ信号変動を小さくすることにある。
さらにまた、本発明の他の目的は、請求項３の光記録媒体において、プリピットの幅を０．４〜０．７μｍとすることにより、ＲＯＭ部の変調度を確保すると共にプシュプル信号を大きくし、ＲＡＭ部のＴＯＣ部（ＲＯＭ部）に対するサーボ信号変動を小さくすることにある。
【手続補正６】
【補正対象書類名】明細書
【補正対象項目名】０００７
【補正方法】変更
【補正の内容】
【０００７】
【課題を解決するための手段】
本発明は前記課題を解決することを目的とする。
即ち、前記課題は本発明の（１）「表面にプリピットおよびプリグルーブが形成されている透光性基板上に色素を主成分とする光吸収層が設けられ、さらに該吸収層上に金属膜からなる光反射層が設けられた、ＲＯＭ領域とＲＡＭ領域とを有する光記録媒体において、前記プリピットの基板深さ、及び該プリピット部と隣接非ピット部の前記光吸収層の各厚さから生じる光学的位相差ΔＳｐ（片路）がλ／８＜ΔＳｐ＜λ／４であり、かつ最短ピットの長さが０．６〜１．０μｍであることを特徴とする前記光記録媒体」、（２）「ピットの幅が０．４〜０．７μｍであることを特徴とする前記第（１）項に記載の光記録媒体」、（３）「表面にプリピットおよびプリグルーブが形成されている透光性基板上に、誘電体層、相変化記録層、誘電体層、さらに金属膜からなる光反射層が順次設けられた、ＲＯＭ領域とＲＡＭ領域とを有する光記録媒体において、前記プリピットの基板深さ、及び該プリピット部と隣接非ピット部との光学的位相差ΔＳｐ（片路）がλ／８＜ΔＳｐ＜λ／４であり、かつ最短ピットの長さが０．６〜１．０μｍであることを特徴とする前記光記録媒体」、（４）「最短ピットの幅が０．４〜０．７μｍであることを特徴とする前記第（３）項に記載の光記録媒体」によって達成される。
【手続補正７】
【補正対象書類名】明細書
【補正対象項目名】０００８
【補正方法】変更
【補正の内容】
【０００８】
以下、本発明を詳細に説明する。
図１はプッシュプル信号、及び戻り光強度信号の光記録媒体のプリピット部、あるいはグルーブ部の光学的位相差（片路）との関係を示す。光記録媒体、例えばＣＤ、ＣＤ−Ｒ等のハイブリッドメディアに於いては、一般にＲＯＭ領域プリピット部の光学的位相差ΔＳｐは、変調度を大きくするためにλ／８＜ΔＳｐ＜λ／４に設定される。変調度に更に重点を置くなら、λ／６＜ΔＳｐ＜λ／４が望ましい。ΔＳｐが前記値に設定されるとプッシュプル信号は小さくなる。グルーブから構成されるＲＡＭ部と比べ、離散的なピットから構成されるＲＯＭ部のプッシュプル信号は元々小さいため、ドライブで用いられるトラックサーボ信号であるＨＦ信号のＤＣ信号（Ｉｇａ）で規格化されたプシュプル信号（ＰＰ／Ｉｇａ）は、ＲＡＭ部と比べかなり小さくなる。ドライブのトラックサーボ動作は通常メディアが挿入されると、ＴＯＣ部のトラックサーボ信号（ＰＰ／Ｉｇａ）でＡＧＣ（Ａｕｔｏ  Ｇａｉｎ  Ｃｏｎｔｒｏｌ）を掛け、これを基準として各面内のトラックサーボ信号（ピット部、及び追記部はＰＰ／Ｉｇａ、未記録部ＰＰ／Ｉｇａ）によりトラックサーボ動作を行なうので、ＲＡＭ部アクセス時にはサーボ不良となる可能性がある。
【手続補正８】
【補正対象書類名】明細書
【補正対象項目名】００１４
【補正方法】変更
【補正の内容】
【００１４】
【発明の効果】
以上、詳細かつ具体的な説明から明らかなように、本発明の請求項１では、光記録媒体において、プリピットの基板深さ、及び該プリピット部と隣接非ピット部の前記光吸収層の各厚さから生じる光学的位相差ΔＳｐ（往復）がλ／８＜ΔＳｐ＜λ／４であり、かつ最短ピットの長さを０．６〜１．０μｍとしているので、ＲＯＭ部の変調度を確保すると共にプシュプル信号を大きくでき、ＲＡＭ部のＴＯＣ部（ＲＯＭ部）に対するサーボ信号変動を小さくすることができ、請求項２では、光記録媒体において、プリピットの幅を０．４〜０．７μｍとしているので、ＲＯＭ部変調度を確保すると共にプシュプル信号を大きくでき、ＲＡＭ部のＴＯＣ部（ＲＯＭ部）に対するサーボ信号変動を小さくすることができ、請求項３では、光記録媒体において、プリピットの基板深さ、及び該プリピット部と隣接非ピット部の前記光吸収層の各厚さから生じる光学的位相差ΔＳｐ（往復）がλ／８＜ΔＳｐ＜λ／４であり、かつ最短ピットの長さを０．６〜１．０μｍとしているので、ＲＯＭ部の変調度を確保すると共にプシュプル信号を大きくし、ＲＡＭ部のＴＯＣ部（ＲＯＭ部）に対するサーボ信号変動を小さくすることができ、請求項４では、光記録媒体において、プリピットの幅を０．４〜０．７μｍとしているので、ＲＯＭ部の変調度を確保すると共にプシュプル信号を大きくし、ＲＡＭ部のＴＯＣ部（ＲＯＭ部）に対するサーボ信号変動を小さくすることができるという極めて優れた効果を奏するものである。